(57)【要約】【課題】通信システムにおける出力制御及びサービスの品質（ＱＯＳ）の導入。【解決手段】多元接続通信システムにおいてサービスの品質（ＱｏＳ）の導入のために、基地局は、そのシステムによりサポートされる全ＱｏＳクラスの端末からのデータ伝送を処理し、そのデータ伝送に関するステータス情報を得る。ステータス情報は、各受信パケットが正しく復号されるかエラーで復号されるかどうか及び各パケットに対する遅延を示すことができる。各ＱｏＳクラスに対して、基地局は、不利な条件に置かれた端末からのデータ伝送に関するステータス情報に基づき１又は複数の測定基準を導出し、その測定基準及びＱｏＳクラスに対する要求に基づきＱｏＳパラメータを更新する。各ＱｏＳクラスに対するＱｏＳパラメータは、そのＱｏＳクラスに対して送られるデータ伝送のための伝送出力を決定する。基地局は、全ＱｏＳクラスに対するＱｏＳパラメータを同報通信する。各端末は、基地局に送るデータ伝送の出力制御のために適用可能なＱｏＳクラスに対するＱｏＳパラメータを使用する。【選択図】図２
2008536353.tif 000002
【特許請求の範囲】
【請求項１】
１つのサービスの品質（ＱｏＳ）クラスに対して少なくとも１つのデータ伝送を処理するため、そして該少なくとも１つのデータ伝送に関するステータス情報を提供するために動作するプロセッサ；及び
該ステータス情報及び該ＱｏＳクラスに対する少なくとも１つの要求に基づいて該ＱｏＳクラスに対するＱｏＳパラメータを更新するため、そして該ＱｏＳパラメータに基づいて出力制御情報を発生させるために動作するコントローラ、
を具備する装置。
【請求項２】
該プロセッサは、該少なくとも１つのデータ伝送に対して受信されたパケットのステータスを提供するために動作する、そしてここにおいて、該コントローラは、該パケットの該ステータスに基づいて少なくとも１つの測定基準（metric）を導き出すため、そして該少なくとも１つの測定基準及び該ＱｏＳクラスに対する該少なくとも１つの要求に基づいて該ＱｏＳパラメータを更新するために動作する、請求項１の装置。
【請求項３】
該プロセッサは、該少なくとも１つのデータ伝送に対して受信されたパケットのステータスを提供するために動作する、そしてここにおいて、該コントローラは、該少なくとも１つのデータ伝送に関するエラー・イベント・レートを決定するため、そして該エラー・イベント・レート及び該ＱｏＳクラスに対するエラー・イベント限度に基づいて該ＱｏＳパラメータを更新するために動作する、請求項１の装置。
【請求項４】
該コントローラは、エラーで復号された各パケット及びエラー・イベントとして予め決められた最大遅延の後で受信された各パケットを考慮するために動作する、請求項３の装置。
【請求項５】
複数の端末の各々に対するチャネル利得を推定するために動作するチャネル推定器をさらに具備する、そしてここにおいて、該コントローラは、該複数の端末に対するチャネル利得に基づいて少なくとも１つの端末を選択するために動作する、そしてここにおいて、該少なくとも１つのデータ伝送は、該少なくとも１つの端末からである、
請求項１の装置。
【請求項６】
該少なくとも１つのデータ伝送は、該ＱｏＳクラス内の少なくとも１つの不利な条件に置かれた端末（disadvantaged terminal）からである、そしてここにおいて、該ＱｏＳクラス内の別の端末からのデータ伝送は、該ＱｏＳクラスに対する該ＱｏＳパラメータを更新するために使用されない、請求項１の装置。
【請求項７】
該コントローラは、複数のＱｏＳクラスに対する複数のＱｏＳパラメータを維持するため、そしてステータス情報及び該ＱｏＳクラスに対する少なくとも１つの要求に基づいて各ＱｏＳクラスに対するＱｏＳパラメータを更新するために動作する、請求項１の装置。
【請求項８】
該複数のＱｏＳクラスは、複数のポートのセットに対応する、請求項７の装置。
【請求項９】
該コントローラは、該ＱｏＳパラメータに基づいて該少なくとも１つのデータ伝送の各々に対する最小伝送出力、最大伝送出力、又は最小伝送出力と最大伝送出力の両者を決定するために構成される、請求項１の装置。
【請求項１０】
該コントローラは、該ＱｏＳパラメータに基づいて該少なくとも１つのデータ伝送の各々に対する伝送出力を決定するために構成される、請求項１の装置。
【請求項１１】
該コントローラは、該ＱｏＳパラメータに基づいて該少なくとも１つのデータ伝送の各々に対する信号−対−ノイズ−及び−干渉比（ＳＮＲ）を決定するために構成される、請求項１の装置。
【請求項１２】
該コントローラは、該ＱｏＳパラメータに基づいて該少なくとも１つのデータ伝送に対して少なくとも１つの伝送パラメータを決定するために構成される、請求項１の装置。
【請求項１３】
少なくとも１つのデータ伝送に関するステータス情報を得るために１つのサービスの品質（ＱｏＳ）クラスに対して該少なくとも１つのデータ伝送を処理するための手段；及び
該ステータス情報及び該ＱｏＳクラスに対する少なくとも１つの要求に基づいて該ＱｏＳクラスに対するＱｏＳパラメータを更新するため、そして該ＱｏＳパラメータに基づいて出力制御情報を発生させるための手段、
を具備する装置。
【請求項１４】
該ＱｏＳクラス内の少なくとも１つの不利な条件に置かれた端末を識別するための手段をさらに具備する、ここにおいて、該少なくとも１つのデータ伝送は、該少なくとも１つの不利な条件に置かれた端末からである、請求項１３の装置。
【請求項１５】
通信システムにおいてサービスの品質（ＱｏＳ）を与える方法であって、
少なくとも１つのデータ伝送に関するステータス情報を得るために１つのＱｏＳクラスに対して少なくとも１つのデータ伝送を処理すること；及び
該ステータス情報及び該ＱｏＳクラスに対する少なくとも１つの要求に基づいて該ＱｏＳクラスに対するＱｏＳパラメータを更新することを具備する、ここにおいて、該ＱｏＳパラメータは、該少なくとも１つのデータ伝送の出力制御のために使用される、
方法。
【請求項１６】
該ＱｏＳクラス内の少なくとも１つの不利な条件に置かれた端末を識別することをさらに具備する、ここにおいて、該少なくとも１つのデータ伝送は、該少なくとも１つの不利な条件に置かれた端末からである、請求項１５の方法。
【請求項１７】
複数のサービスの品質（ＱｏＳ）クラスの各々に対して少なくとも１つのデータ伝送を処理するため、そして各ＱｏＳクラス内の該少なくとも１つのデータ伝送に関するステータス情報を提供するために動作するプロセッサ；及び
該ＱｏＳクラスに対する少なくとも１つの要求及び該ＱｏＳクラス内の該少なくとも１つのデータ伝送に関する該ステータス情報に基づいて該ＱｏＳクラスに対するＱｏＳパラメータを更新するため、そして該ＱｏＳクラスに対する該ＱｏＳパラメータに基づいて該ＱｏＳクラス内の該少なくとも１つのデータ伝送に関する出力制御情報を発生させるために動作するコントローラ、
を具備する装置。
【請求項１８】
該複数のＱｏＳクラスは、複数のサービスをサポートする、そしてここにおいて、各ＱｏＳクラスに対する該少なくとも１つの要求は、該ＱｏＳクラスにマッピングされたサービスに対する少なくとも１つの目標達成度（performance）要求に基づいて決定される、請求項１７の装置。
【請求項１９】
各ＱｏＳクラスに対する該ＱｏＳパラメータは、該ＱｏＳクラスに属している端末により送られるデータ伝送のための伝送出力を決定するために使用される出力制御パラメータである、請求項１７の装置。
【請求項２０】
基地局と通信している複数の端末からの複数のデータ伝送を処理するために動作するプロセッサ、ここにおいて、該複数のデータ伝送は、少なくとも１つのサービスの品質（ＱｏＳ）クラスの各々に対して少なくとも１つのデータ伝送を備える；及び
該ＱｏＳクラスに対する少なくとも１つの要求及び該ＱｏＳクラスに対する該少なくとも１つのデータ伝送に関するステータス情報に基づいて該少なくとも１つのＱｏＳクラスの各々に対するＱｏＳパラメータを更新するために動作するコントローラ、
を具備する装置。
【請求項２１】
各ＱｏＳクラスに対する該ＱｏＳパラメータを同報通信するために動作する少なくとも１つの送信機ユニット、
をさらに具備する、請求項２０の装置。
【請求項２２】
該プロセッサは、該複数の端末の各々に対する信号−対−ノイズ−及び−干渉比（ＳＮＲ）推定値を導出するために動作する、そしてここにおいて、該コントローラは、該端末に対する該ＳＮＲ推定値に基づいて各端末に対する伝送出力制御（ＴＰＣ）コマンドを発生させるために動作する、請求項２０の装置。
【請求項２３】
該基地局によって観測されるセクタ間干渉を推定するために動作する干渉推定器をさらに具備する、そしてここにおいて、該コントローラは、該基地局によって観測される該セクタ間干渉の指標を発生させるために動作する、請求項２０の装置。
【請求項２４】
該基地局によって観測される該セクタ間干渉を示す他のセクタ干渉（ＯＳＩ）ビットを干渉しきい値に関連して発生させるために動作する、請求項２３の装置。
【請求項２５】
該コントローラは、該複数の伝送に関する少なくとも１つの目標達成度測定基準を決定するため、そして該少なくとも１つの目標達成度測定基準に基づいてオーバーラッピング係数を更新するために動作する、該オーバーラッピング係数は該基地局に対するオーバーラッピング伝送の平均数を表示する、請求項２０の装置。
【請求項２６】
基地局と通信している複数の端末からの複数のデータ伝送を処理するための手段、ここにおいて、該複数のデータ伝送は、少なくとも１つのサービスの品質（ＱｏＳ）クラスの各々に対して少なくとも１つのデータ伝送を備える；及び
該ＱｏＳクラスに対する少なくとも１つの要求及び該ＱｏＳクラスに対する該少なくとも１つのデータ伝送に関するステータス情報に基づいて該少なくとも１つのＱｏＳクラスの各々に対するＱｏＳパラメータを更新するための手段、
を具備する装置。
【請求項２７】
該複数の端末の各々に対する信号−対−ノイズ−及び−干渉比（ＳＮＲ）推定値を導出するための手段；及び
該端末に対する該ＳＮＲ推定値に基づいて各端末に対する伝送出力制御（ＴＰＣ）コマンドを発生させるための手段、
をさらに具備する、請求項２６の装置。
【請求項２８】
該基地局によって観測されるセクタ間干渉を推定するための手段；及び
該基地局によって観測される該セクタ間干渉を示す他のセクタ干渉（ＯＳＩ）ビットを干渉しきい値に関連して発生させるための手段、
をさらに具備する、請求項２６の装置。
【請求項２９】
サービスの品質（ＱｏＳ）クラスに対するＱｏＳパラメータを得るために動作するプロセッサ、該ＱｏＳパラメータは該ＱｏＳクラスに対する少なくとも１つの要求を満足させる出力制御のために使用される；及び
該ＱｏＳパラメータに基づいて基地局へのデータ伝送のための伝送出力を決定するために動作するコントローラ、
を具備する装置。
【請求項３０】
該プロセッサは、該基地局からの伝送出力制御（ＴＰＣ）コマンドを検出するために動作する、そしてここにおいて、該コントローラは、該検出されたＴＰＣコマンドにさらに基づいて該データ伝送のための該伝送出力を決定するために動作する、請求項２９の装置。
【請求項３１】
該コントローラは、該検出されたＴＰＣコマンドに基づいて基準出力レベルを調節するため、そして該基準出力レベルに基づいて該データ伝送のための該伝送出力を決定するために動作する、請求項３０の装置。
【請求項３２】
該プロセッサは、少なくとも１つの隣接基地局によって観測される干渉の少なくとも１つの指標を得るために動作する、そしてここにおいて、該コントローラは、該干渉の少なくとも１つの指標にさらに基づいて該データ伝送のための該伝送出力を決定するために動作する、請求項２９の装置。
【請求項３３】
該コントローラは、該干渉の少なくとも１つの指標に基づいて伝送出力デルタを調節するため、該ＱｏＳパラメータに基づいて該伝送出力デルタを制限するため、そして該伝送出力デルタに基づいて該データ伝送のための該伝送出力を決定するために動作する、請求項３２の装置。
【請求項３４】
該プロセッサは、該基地局に対するオーバーラッピング伝送の平均数を表示するオーバーラッピング係数を得るために動作する、そしてここにおいて、該コントローラは、該オーバーラッピング係数にさらに基づいて該データ伝送のための該伝送出力を決定するために動作する、請求項２９の装置。
【請求項３５】
サービスの品質（ＱｏＳ）クラスに対するＱｏＳパラメータを得るための手段、該ＱｏＳパラメータは該ＱｏＳクラスに対する少なくとも１つの要求を満足させる出力制御のために使用される；及び
該ＱｏＳパラメータに基づいて基地局へのデータ伝送のための伝送出力を決定するための手段、
を具備する装置。
【請求項３６】
該基地局からの伝送出力制御（ＴＰＣ）コマンドを検出するための手段、をさらに具備する、そしてここにおいて、該データ伝送のための該伝送出力を決定するための該手段は、該検出されたＴＰＣコマンドにさらに基づいて該データ伝送のための該伝送出力を決定するための手段を備える、
請求項３５の装置。
【請求項３７】
少なくとも１つの隣接基地局によって観測される干渉の少なくとも１つの指標を得るための手段、をさらに具備する、そしてここにおいて、該データ伝送のための該伝送出力を決定するための該手段は、該干渉の少なくとも１つの指標にさらに基づいて該データ伝送のための該伝送出力を決定するための手段を備える、
請求項３５の装置。
【請求項３８】
該基地局に対するオーバーラッピング伝送の平均数を表示するオーバーラッピング係数を得るための手段、をさらに具備する、そしてここにおいて、該データ伝送のための該伝送出力を決定するための該手段は、該オーバーラッピング係数にさらに基づいて該データ伝送のための該伝送出力を決定するための手段を備える、
請求項３５の装置。
【発明の詳細な説明】
【関連文献】
【０００１】
特許に関する本出願は、米国特許仮出願番号第６０／６５８，９９０号、名称“直交多重化を利用する無線通信システムのための出力制御のサービスの品質の導入（Quality of Service Implementation of Power Control for a Wireless Communication System Utilizing Orthogonal Multiplexing）”、２００５年３月４日出願、及び、米国特許仮出願番号第６０／７０７，２０８号、名称“通信システムにおける出力制御及びサービスの品質（ＱＯＳ）の導入（Quality of Service Implementation of Power Control for a Wireless Communication System Utilizing Orthogonal Multiplexing）”、２００５年８月１０日出願、に優先権を主張し、その全体が引用によってここに取り込まれている。
【技術分野】
【０００２】
本明細書は、一般に通信に係り、より具体的に、通信システムにおけるデータ伝送及び出力制御に関する。
【背景技術】
【０００３】
多元接続通信システムは、順方向リンク及び逆方向リンク上で複数の端末と同時に通信することが可能である。順方向リンク（又はダウンリンク）は、基地局から端末への通信リンクを呼び、そして逆方向リンク（又はアップリンク）は、端末から基地局への通信リンクを呼ぶ。複数の端末は、同時に逆方向リンク上でデータを伝送し、そして／又は順方向リンク上でデータを受け取ることができる。これは、多くの場合、時間ドメイン、周波数ドメイン及び／又はコード・ドメインにおいて互いに直交するように各リンク上で複数の伝送を多重化することによって実現される。
【０００４】
多元接続システムは、様々な通信サービス、例えば、音声、データ、等、をサポートできる。各サービスは、ある目標達成度（performance）要求に関係付けられることができる。異なるサービスを受けている端末は、システムの交信可能地域の全体にわたり分散されることがあり、そして異なるチャネル状態を観測することがある。その結果、これらの端末は、受けようとしているサービスに指定された目標達成度を実現するために、異なる量の伝送出力を必要とする。
【０００５】
したがって、多元接続システム中の端末がそのシステムによりサポートされるサービスに対して指定された目標達成度を実現できることを確実にするための技術に対してこの分野における必要性がある。
【発明の開示】
【サマリー】
【０００６】
多元接続通信システムにおいて伝送出力を制御するためそしてサービスの品質（ＱｏＳ：Quality of Service）の導入をサポートするための技術が、本明細書中に記載される。ＱｏＳは、データ伝送に対する所望のレベル又は最低レベルの目標達成度（performance）を呼ぶ。ＱｏＳは、１又はそれより多くの基準、例えば、目標パケット・エラー・レート（ＰＥＲ：packet error rate）、最小データ・レート、最大遅延又は待ち時間、その他、によって定量化されることができる。１つのＱｏＳクラスは、特定のＱｏＳ要求、例えば、特定の目標ＰＥＲ、特定の最小データ・レート、特定の最大遅延、その他、に関係する。異なるＱｏＳ要求を有する複数のＱｏＳクラスは、システムに対して規定されることができる。システムによりサポートされるサービスは、ＱｏＳクラスにマッピングされることができる。
【０００７】
システム内のあるセクタに対する基地局は、そのシステムによりサポートされる全てのＱｏＳクラスの端末からのデータ伝送を受け取る。基地局は、そのデータ伝送を処理し、そしてこれらの伝送についてのステータス情報を得る。ステータス情報は、各受信パケットが正しく復号されるか（良いか）又はエラーで復号されるか（消去されるか）かどうかを示すことができる。基地局は、１又はそれより多くのデータ伝送を選択し、各ＱｏＳクラスに対するＱｏＳパラメータを更新するために使用する。各ＱｏＳクラスに対して選択されるデータ伝送は、交信可能範囲端のところに位置する端末からのデータ伝送であり得る。各ＱｏＳクラスに対するＱｏＳパラメータは、出力制御パラメータであり得て、それはそのＱｏＳクラスに対して送られるデータ伝送のための伝送出力を決定する。各ＱｏＳクラスに関して、基地局は、そのＱｏＳクラスに対して選択されたデータ伝送に関するステータス情報に基づいて１又はそれより多くのＱｏＳ測定基準（metric）を決定し、そして１又はそれより多くのＱｏＳ測定基準及びそのＱｏＳクラスに対する１又はそれより多くのＱｏＳ要求に基づいてＱｏＳパラメータを更新する。基地局は、セクタ内の端末へ全てのＱｏＳクラスに対するＱｏＳパラメータを同報通信することができる。各端末は、それに端末が属しているＱｏＳクラスに対するＱｏＳパラメータを取得し、そしてその基地局へ送るデータ伝送の出力制御のためにこのＱｏＳパラメータを使用する。
【０００８】
本発明の様々な態様及び実施形態が、以下にさらに詳細に記述される。
【０００９】
［詳細な説明］
用語“具体例の”は、“例、事例、又は例示として働くこと”を意味するように本明細書中では使用される。“具体例の“として本明細書中で記載されたいずれかの実施形態又は設計が、その他の実施形態又は設計よりも好ましい又は優位であるとして必ずしも解釈される必要はない。
【００１０】
本明細書中に記述されるＱｏＳ技術及び出力制御技術は、様々な多元接続通信システムに対して使用されることができる。例えば、これらの技術は、符号分割多元接続（ＣＤＭＡ：code division multiple access）システム、周波数分割多元接続（ＦＤＭＡ：frequency division multiple access）システム、時分割多元接続（ＴＤＭＡ：time division multiple access）システム、直交周波数分割多元接続（ＯＦＤＭＡ：orthogonal frequency division multiple access）システム、空間分割多元接続（ＳＤＭＡ：spatial division multiple access）システム、擬似直交多元接続システム、及びその他に対して使用されることができる。本技術は、しかも順方向リンクと逆方向リンクの伝送に対して使用されることができる。明確化のために、以下の記載の多くは、逆方向リンク伝送に対してである。
【００１１】
図１は、複数の基地局１１０と複数の端末１２０とを有する多元接続通信システム１００を示す。基地局は、一般に端末と通信する固定局であり、そして同様にアクセス・ポイント、ノードＢ、又はある別の用語で呼ばれることができる。各基地局１１０は、固有の地理的な区域１０２に対して通信可能範囲を提供する。用語“セル”は、その用語がその中で使用される文脈に応じて基地局を呼ぶ及び／又はその交信可能区域を呼ぶことができる。システム能力を向上させるために、基地局交信可能区域は、複数のより小さな区域、例えば、３つのより小さな区域１０４ａ，１０４ｂ，及び１０４ｃ、へと区分されることが可能である。各小さな区域は、それぞれの基地局トランシーバ・サブシステム（ＢＴＳ：base transceiver subsystem）によって取り扱われる。用語“セクタ”は、その用語がその中で使用される文脈に応じて、ＢＴＳ及び／又はその交信可能区域を呼ぶことができる。セクタ化されたセルに関して、そのセルの全てのセクタに対するＢＴＳは、一般的にそのセルに対する基地局の内部に一緒に存在する。簡単のために、用語“基地局”は、セルを取り扱う固定局及びセクタを取り扱う固定局の両者に対して本明細書中では一般的に使用される。システム・コントローラ１３０は、基地局１１０に接続し、そしてこれらの基地局のための調整及び制御を提供する。
【００１２】
端末は、固定である又は移動可能であることができ、そして同様に移動局、無線デバイス、ユーザ装置、又はある別の用語で呼ばれることができる。各端末は、任意の所定の瞬間にゼロの、１つの、又は複数の基地局と通信することができる。以下の記述では、用語“端末”及び“ユーザ”は、互換的に使用され、そして用語“セクタ”及び“基地局”も、同様に互換的に使用される。取り扱い（serving）基地局は、端末がそれと通信する基地局／セクタである。
【００１３】
システム１００は、様々な通信サービスを提供することができ、それは例えば、音声、パケット・データ、ビデオ、媒体同報通信、テキスト・メッセージ通信、及びその他、のようなものである。各サービス及び／又はサービスの各ランク（rank）は、特定の目標達成度（performance）要求に関係付けられることができる。例えば、音声サービスは、特定の目標ＰＥＲ、最小データ・レート、及び最大遅延要求に関係付けられることができる。別の１つの例として、パケット・データ・サービスは、特定の目標ＰＥＲ要求に関係付けられることができ、そしてパケット・データ・サービスの別のランクは、異なる最小データ・レート要求に関係付けられることができる。パケット・データ・サービスは、同様に、パケット待ち時間、待ち時間ジッタ（jitter）、パケット通話待ち時間（それは通話当り複数のオブジェクトがあるＨＴＴＰのようなトラフィックに対して適していることがある）、パケット通話待ち時間ジッタ、消去レート、誤検出、偽のアラーム、停電確率、及びその他、又はこれらの任意の組み合わせ、に関係付けられることができる。
【００１４】
複数の（Ｌ個の）ＱｏＳクラスは、システムに対して規定されることができる、ここで、Ｌ＞１である。各ＱｏＳクラスは、特定のＱｏＳ要求に関係付けられ、そして異なるＱｏＳクラスは、異なるＱｏＳ要求を有する。システムによってサポートされるサービスは、ＱｏＳクラスにマッピングされることができる。一般に、各サービスは、異なるＱｏＳクラスにマッピングされることができ、異なる目標達成度要求を有するサービスの異なるランクは、異なるＱｏＳクラスにマッピングされることができ、同じ目標達成度要求を有する別のサービスは、同じＱｏＳクラスにマッピングされることができる、等である。例えば、音声又はパケット・データ・サービスの異なるランクは、異なる最小データ・レート要求を有するが、同じ目標ＰＥＲ要求と最大遅延要求を有することができ、そして各ランクは、異なるＱｏＳクラスにマッピングされることができる。各ＱｏＳクラスに対するＱｏＳ要求は、そのＱｏＳクラス上にマッピングされた（複数の）サービスの目標達成度要求によって決定されることができる。例えば、音声サービスに対するＱｏＳクラスは、特定のエラー・イベント・レートに関係付けられることができ、そこでエラー・イベントは、エラーで復号されるパケットに、又は、指定された最大遅延の後で受け取られるパケットに起因することがある。このＱｏＳクラスに対するＱｏＳ要求は、それから音声サービスに対する最大遅延要求及び目標ＰＥＲによって決定される。
【００１５】
端末は、任意の所定の時間に１つのサービスを受けることができる、又は同時に複数のサービス（例えば、音声とパケット・データ）を受けることができる。システム内の端末は、システムによりサポートされる別のサービスを受けることができる。各端末は、その端末により受けられようとしている各サービスに関する各ＱｏＳクラスに対するＱｏＳ要求を満足させる必要があるはずである。
【００１６】
図１に示されたように、端末は、システムの交信可能区域全体に分散されることがあり、そして異なるチャネル状態を観測することがある。その結果、所定のデータ・レートに対して、端末は、取り扱い基地局において所定の受信信号−対−ノイズ−及び−干渉比（ＳＮＲ：signal-to-noise-and-interference ratio）を実現するために、一般的に異なる大きさの伝送出力を要求する。不利な条件に置かれた端末（disadvantaged terminal）は、取り扱い基地局に対して小さなチャネル利得（すなわち、大きなパス損失）を有し、そして取り扱い基地局において所定の受信ＳＮＲを実現するために高い出力レベルで伝送する必要がある。不利な条件に置かれた端末は、典型的に交信可能範囲の端に位置するが、一般にどこにでも位置することがある。強い端末は、取り扱い基地局に対して大きなチャネル利得（すなわち、小さなパス損失）を有し、そして同じ受信ＳＮＲのためにより低い出力レベルで伝送することが可能である。各端末は、その端末に対して適用可能な各ＱｏＳクラスに対するＱｏＳ要求を満足させるためにある大きさの伝送出力を要求する。
【００１７】
出力制御手段は、各ＱｏＳクラスに対して送られるデータ伝送のための伝送出力を調節するために使用されることができ、その結果、そのＱｏＳクラスのＱｏＳ要求が満足される。出力制御手段は、様々な方式で与えられることができる。明確化のために、複数の具体例の設計が、以下に説明される。
【００１８】
図２は、ＱｏＳの導入をサポートする出力制御手段２００を示す。基地局１１０ａは、複数の（Ｌ個の）ＱｏＳクラスをサポートし、それは１からＬのインデックスを与えられる、ここで、Ｌ＞１である。基地局１１０ａは、Ｎ個の端末１２０ａから１２０ｎと通信する、ここで、Ｎ≧１である。単純にするために、次の説明は、１つのＱｏＳクラスが各端末に対して適用可能であり、ＱｏＳクラスａが端末１２０ａに対して適用可能であり、ここで、ａ∈｛１，．．．，Ｌ｝であり、そしてＱｏＳクラスｎが端末１２０ｎに対して適用可能であり、ここで、ｎ∈｛１，．．．，Ｌ｝である、ことを仮定する。１つのトラフィック・チャネルは、各端末に割り当てられ、そしてその割り当てられたトラフィック・チャネル上でのデータ伝送は、適用可能なＱｏＳクラスに対するＱｏＳ要求を満足させる必要がある。
【００１９】
図２に示された実施形態に関して、出力制御手段２００は、基準ループ２０２とＱｏＳループ２０６とを含む。１つの実施形態では、基準ループ２０２は、基地局１１０ａと各端末１２０との間で動作し、そしてＱｏＳループ２０６は、基地局１１０ａと同じＱｏＳクラス内の全ての端末との間で動作する。
【００２０】
端末１２０ａに対する基準ループ２０２の動作が、以下に説明される。基準ループ２０２は、端末１２０ａからの指定された伝送のための伝送出力を調節して、基地局１１０ａにおいて測定されるように、この伝送についての受信ＳＮＲを目標ＳＮＲに可能な限り近くに維持する。その指定された伝送は、制御チャネル上で端末１２０ａにより送られる信号、割り当てられたトラフィック・チャネル上で端末１２０ａにより送られるパケット・データ、又はある別の伝送であり得る。指定された伝送に対する伝送出力は、同様に基準出力レベルとも呼ばれる。基準ループ２０２に関して、基地局１１０ａにあるＳＮＲ推定器２１０は、指定された伝送に対する受信ＳＮＲを推定する。伝送出力制御（ＴＰＣ：transmit power control）コマンド発生器２１２は、目標ＳＮＲに対して受信ＳＮＲを比較する、目標ＳＮＲは指定された伝送に対する所望の目標達成度のレベル（例えば、１％ＰＥＲ）を実現するために別の１つのループによって調節されることができる。発生器２１２は、その比較結果に基づいてＴＰＣコマンドを発生する。各ＴＰＣコマンドは、（１）受信ＳＮＲが目標ＳＮＲより低い場合に、基準出力レベルを増加させるように端末１２０ａを指示するＵＰコマンド、又は（２）受信ＳＮＲが目標ＳＮＲに等しいかそれよりも高い場合に、基準出力レベルを減少させるように端末１２０ａを指示するＤＯＷＮコマンドであり得る。基地局１１０ａは、端末１２０ａに順方向リンク上でＴＰＣコマンドを伝送する。
【００２１】
端末１２０ａは、基地局１１０ａからの順方向リンク伝送を受け取りそして処理する。端末１２０ａの内部で、ＴＰＣコマンド（Ｃｍｄ）検出器２５０は、端末１２０ａに対して送られた各ＴＰＣコマンドを検出し、そしてＴＰＣ判断を与える、それは（１）受信ＴＰＣコマンドがＵＰコマンドであると見做される場合にＵＰ判断、又は（２）受信ＴＰＣコマンドがＤＯＷＮコマンドであると見做される場合にＤＯＷＮ判断、のいずれかであり得る。伝送出力計算ユニット２６０は、ＴＰＣコマンド検出器２５０からのＴＰＣ判断に基づいて基準出力レベルを調節する。送信（ＴＸ）データ・プロセッサ２７０は、その指定された伝送をスケーリングして基準出力レベルを実現する。端末１２０ａは、基地局１１０ａにその指定された伝送を送る。
【００２２】
一般的に時間とともに変化しそして特に移動端末に対して変化する逆方向リンクのパス損失、フェーディング、及びマルチパス効果のために、指定された伝送に対する受信ＳＮＲは、継続的にふらつく。基準ループ２０２は、逆方向リンク・チャネル状態において変化が存在する中で、指定された伝送に対する受信ＳＮＲを目標ＳＮＲで又はその近くに維持しようと試みる。
【００２３】
ＱｏＳループ２０６は、システムによりサポートされる各ＱｏＳクラスに対するＱｏＳパラメータを維持する。各ＱｏＳクラスに対するＱｏＳパラメータは、（１）そのＱｏＳクラスの基地局１１０ａに送る各データ伝送のための伝送出力を調節する、そして（２）そのＱｏＳクラスに属している全ての端末がＱｏＳクラスに対するＱｏＳ要求を満足できることを確実にする、ために使用される。各ＱｏＳクラス内の端末は、基地局１１０ａの交信可能区域全体に分布されることができる。不利な条件に置かれた端末からのデータ伝送は、ＱｏＳ要求を満足させるためにより高い伝送出力を要求する。１つの実施形態では、各ＱｏＳクラスに対するＱｏＳパラメータは、そのＱｏＳクラス内の不利な条件に置かれた端末からのデータ伝送に基づいて調節される。不利な条件に置かれた端末でさえもこれらのＱｏＳ要求を満足できることを確実にすることにより、各ＱｏＳクラス内の全ての端末は、そのＱｏＳクラスに対するＱｏＳ要求を満足させることを保障されることが可能である。
【００２４】
ＱｏＳループ２０６に関して、基地局１１０ａにあり、１つのプロセッサ又は複数のプロセッサ中に含まれることができるＬ個のユニット２２０ａから２２０ｌは、Ｌ個のＱｏＳクラスに対するＱｏＳパラメータを独立して調節する。各ＱｏＳクラスに対するユニット２２０の内部で、受信（ＲＸ）データ・プロセッサ２２２は、そのＱｏＳクラスに対して端末によって送られたデータ伝送を処理し、各パケットが正しく復号されたか又はエラーで復号されたかどうかを決定し、そしてＱｏＳパラメータ調節ユニット２２４にステータス情報（例えば、各パケットのステータス及び遅延）を与える。ユニット２２４は、不利な条件に置かれた端末からのデータ伝送のステータス情報に基づいて１又はそれより多くのＱｏＳ測定基準（metric）を決定する。ユニット２２４は、次に、そのＱｏＳ測定基準がＱｏＳ要求に適合するようにＱｏＳパラメータを調節する。Ｌ個のユニット２２４ａから２２４ｌは、Ｌ個のＱｏＳクラスに対してＱｏＳパラメータを与える、それは端末に順方向リンク上で同報通信される。
【００２５】
端末１２０ａにおいて、信号通信プロセッサ２５２は、基地局１１０ａからの順方向リンク伝送を処理し、そして端末１２０ａに適用できるＱｏＳクラスａに対するＱｏＳパラメータを得る。伝送出力計算ユニット２６０は、プロセッサ２５２からＱｏＳパラメータを、そして検出器２５０からＴＰＣ判断を受け取り、そして全ての入力に基づいて割り当てられたトラフィック・チャネルに対する伝送出力を計算する。ＴＸデータ・プロセッサ２７０は、計算された伝送出力に基づいてデータ伝送をスケーリングし、そして基地局１１０ａにトラフィック・チャネル上でデータ伝送を送る。
【００２６】
各ＱｏＳクラスに対するＱｏＳパラメータは、様々な形式で与えられることができる。ＱｏＳパラメータの好適な選択は、様々な要因、例えば、システム・タイプ、所望の目標達成度特性、及びその他、に依存する。一例として、ＴＤＭＡ，ＦＤＭＡ，又はＯＦＤＭＡシステムに関して、ＱｏＳパラメータは、トラフィック・チャネルに対する受信ＳＮＲの下側の境界に置かれることができ、その結果、必要な目標達成度又はそれより良い目標達成度が実現されることが可能である。ＣＤＭＡシステム又はある別の干渉が制限するシステムに関して、ＱｏＳパラメータは、必要な目標達成度を与えるＳＮＲで又はその近くにトラフィック・チャネルに対する受信ＳＮＲを維持することができる。明確にするために、次の説明は、１つのＱｏＳクラスに対してである。
【００２７】
１つの実施形態では、ＱｏＳパラメータは、最小伝送出力デルタΔＰｍｉｎであり、それはデータ伝送のための伝送出力を下側の限界に置く。例えば、伝送チャネルの伝送出力は、次式で表されることができる：
Ｐｄｃｈ（ｎ）＝Ｐｒｅｆ（ｎ）＋ΔＰ（ｎ）                        式（１）
ここで、Ｐｄｃｈ（ｎ）は更新インターバルｎのあいだのトラフィック・チャネルの伝送出力であり：
Ｐｒｅｆ（ｎ）は更新インターバルｎのあいだの基準出力レベルであり；そして
ΔＰ（ｎ）は更新インターバルｎのあいだの伝送出力デルタである。
【００２８】
送信出力レベルＰｄｃｈ（ｎ）とＰｒｅｆ（ｎ）及び伝送出力デルタΔＰ（ｎ）は、デシベル（ｄＢ）の単位で与えられる。ΔＰ（ｎ）は、以下に説明されるように決定されることができる。トラフィック・チャネル上のデータ伝送及び指定された伝送が同じようなノイズ及び干渉特性を観測する場合、式（１）は、結果としてデータ伝送に対する受信ＳＮＲが指定された伝送に対する受信ＳＮＲよりもΔＰ（ｎ）ｄＢ高くなることになる。
【００２９】
伝送出力デルタは、次式のように制約されることがある：
ΔＰ（ｎ）∈［ΔＰｍｉｎ，ΔＰｍａｘ］                            式（２）
ここで、ΔＰｍｉｎはトラフィック・チャネルに対して許容され得る最小の伝送出力デルタであり、そして
ΔＰｍａｘはトラフィック・チャネルに対して許容され得る最大の伝送出力デルタである。
【００３０】
ＱｏＳループは、端末がＱｏＳクラスに対する要求を満足することができることを確実にするようにΔＰｍｉｎを調節する。ΔＰｍｉｎは、多くの場合、悪いチャネル状態を観測している不利な条件に置かれた端末に適用される。不利な条件に置かれた端末は、一般的に隣接するセクタの近くに位置し、そして高送信出力レベルは、この隣接するセクタへの高いセクタ間干渉に結果としてなる。より小さなΔＰｍｉｎは、不利な条件に置かれた端末がより低い出力レベル伝送することを可能にし、そのようにセル間干渉を減少させる。しかしながら、ΔＰｍｉｎは、不利な条件に置かれた端末がＱｏＳクラスに対する要求を満足することができることを確実にするために低すぎるように設定されるべきではない。
【００３１】
別の１つの実施形態では、ＱｏＳパラメータは、伝送出力オフセットＰｏｓであり、それはトラフィック・チャネルに対する伝送出力を得るために基準出力レベルに加算される。この実施形態に関して、Ｐｄｃｈ（ｎ）は、次式のように表されることができる：
Ｐｄｃｈ（ｎ）＝Ｐｒｅｆ（ｎ）＋Ｐｏｓ                            式（３）
ここで、Ｐｏｓは、伝送出力オフセットであり、ｄＢの単位で与えられる。ＱｏＳループは、指定された伝送に対する受信ＳＮＲよりもほぼＰｏｓｄＢ高くなるようにトラフィック・チャネル上でのデータ伝送の受信ＳＮＲを維持する。
【００３２】
さらに別の１つの実施形態では、ＱｏＳパラメータは、基準出力レベルＰｒｅｆ（ｎ）を調節するために使用する目標ＳＮＲである。この実施形態に関して、指定された伝送は、トラフィック・チャネル上でのデータ伝送であり得る。データ伝送の受信ＳＮＲは、目標ＳＮＲを達成するために調整され、それは順にＱｏＳ要求を満足するように調節される。
【００３３】
最小伝送出力デルタΔＰｍｉｎ、伝送出力オフセットＰｏｓ、及び目標ＳＮＲは、ＱｏＳパラメータの３つの具体例の形式である。ＱｏＳパラメータは、同様に別の形式で与えられることができ、そしていずれかの伝送パラメータを調節するために使用されることができ、そしてこれは本発明の範囲内である。例えば、パケット当りの伝送の目標平均数（ＨＡＲＱ）は、目標ＳＮＲの代わりに調節されることができる。伝送出力は、その時には、伝送の目標平均数と比較して早い／遅いパケット打ち切りに基づいて調節されることができる。
【００３４】
各ＱｏＳクラス内の不利な条件に置かれた端末は、様々な方法で識別されることができる。各端末に対するチャネル利得は、端末により送られるパイロット又はある別の伝送に基づいて推定されることができる。パイロットは、送信機及び受信機により事前に知られたシンボルの伝送である。１つの実施形態では、各端末に対する推定されたチャネル利得は、利得しきい値に対して比較され、そしてそのチャネル利得が利得しきい値より低い場合に、その端末は、不利な条件に置かれた端末であると見做される。別の１つの実施形態では、各ＱｏＳクラス内の全ての端末に対する推定チャネル利得は、順番に並べられ、そして悪いチャネル利得を有する予め決められた割合（例えば、１０％）又は予め決められた端末の数が、不利な条件に置かれた端末であると見做される。さらに別の１つの実施形態では、端末は、その最も強いチャネル利得率で伝送し、そしてこの情報は、不利な条件に置かれた端末を識別するために使用される。さらに別の１つの実施形態では、不利な条件に置かれた端末は、それらの能動セットの大きさに基づいて識別される。１つの端末に対する能動セットは、端末がそれを用いて通信する基地局を含み、そしてより大きな能動セットの大きさは、不利な条件に置かれた端末を表すことができる。さらに別の１つの実施形態では、不利な条件に置かれた端末は、ポート・セットに対するＳＮＲに基づいて識別される。各ポート・セットは、周波数副帯域のグループを包含できる。異なるポート・セットは、使用上の異なる制約を有することがあり、それは周波数再使用方式に基づいて決定されることができる。異なるポート・セットは、同様に異なるＱｏＳ要求を有することができる、それは各ポート・セットに対する別々のＱｏＳパラメータを維持することによって、そしてそのポート・セット上で受信される伝送に基づいて各ポート・セットに対するＱｏＳパラメータを調節することによって満たされることができる。不利な条件に置かれた端末は、同様にパイロット強度、キャリア−対−ノイズ比（Ｃ／Ｎ）、又はある別の品質測定基準に基づいて識別されることができる。
【００３５】
各ＱｏＳクラスに対するＱｏＳパラメータは、上に説明されたように、ＱｏＳクラス内の不利な条件に置かれた端末からのデータ伝送に基づいて更新されることができる。ＱｏＳパラメータを更新するために使用する不利な条件に置かれた端末の数は、ＱｏＳパラメータを更新するために使用するエラー・イベントの良い統計的な平均化を与えるように選択されることができる。あるいは、各ＱｏＳクラスに対するＱｏＳパラメータは、ＱｏＳクラス内の全ての端末からのデータ伝送に基づいて更新されることができる。明確にするために、下記の説明の多くは、各ＱｏＳクラスに対するＱｏＳパラメータが不利な条件に置かれた端末からのデータ伝送に基づいて更新されると仮定する。
【００３６】
図３は、ＱｏＳクラスに対するＱｏＳパラメータを更新するためのプロセス３００を示す。ＱｏＳクラス内の全ての端末からのデータ伝送は、そのデータ伝送に関するステータス情報を得るために、受信されそして処理される（例えば、復調されそして復号される）（ブロック３１０）。ステータス情報は、例えば、各受信パケットのステータス（良い又は消去される）、各パケットの遅延、及びその他、を含むことができる。少なくとも１つのＱｏＳ測定基準は、不利な条件に置かれた端末からのデータ伝送に関するステータス情報に基づいて決定されることができる（ブロック３１２）。例えば、エラー・イベント・レート、ＰＥＲ、伝送遅延、及びその他のような様々なＱｏＳ測定基準が、使用されることができる。ＱｏＳ測定基準は、そのＱｏＳクラスに対するいずれかの要求（例えば、上に説明されたパケット・データに対する要求）に基づいて規定されることができる。ＱｏＳパラメータは、そのＱｏＳクラスに対する少なくとも１つのＱｏＳ測定基準と少なくとも１つのＱｏＳ要求に基づいて更新される（ブロック３１４）。例えば、最小伝送出力デルタΔＰｍｉｎ、伝送出力オフセットＰｏｓ、又は目標ＳＮＲは、全てのＱｏＳ要求が満足される場合に増加されることができ、そしていずれのＱｏＳ要求も満足されない場合に減少されることができる。ＱｏＳクラスに対する更新されたＱｏＳパラメータは、複数の端末に同報通信されることができる（ブロック３１６）。
【００３７】
ＱｏＳパラメータは、ＱｏＳパラメータの形式及び更新のために使用されるＱｏＳ測定基準に応じて様々な方式で更新されることができる。ＱｏＳパラメータを更新するための特定の実施形態が、以下に説明される。この実施形態に関して、各トラフィック・チャネルに対する伝送出力は、式（１）と式（２）に示されたように計算され、各ＱｏＳクラスｉに対するＱｏＳパラメータは、ΔＰｍｉｎ，ｉであり、そしてＱｏＳ測定基準は、エラー・イベント・レートＥＲ（ｉ）である。エラー・イベントは、エラーで復号されるパケット、最大遅延要求を満足しないパケット、及びその他のために生じることがある。各ＱｏＳクラスｉは、エラー・イベントのレートの具体的な上限に関係し、それはＥＲ＿ｌｉｍｉｔ（ｉ）と示される。例えば、音声サービスに対するＱｏＳクラスは、１％エラー・イベント・レートの上限と関係付けられることができる。
【００３８】
図４は、上に説明された特定の実施形態に関して、ＱｏＳクラスｉに対するＱｏＳパラメータを更新するためのプロセス４００を示す。最初に、ＱｏＳクラスｉのエラー・イベント・カウンタＥ（ｉ）と伝送カウンタＴ（ｉ）は、両者ともゼロにリセットされる、すなわち、Ｅ（ｉ）＝０そしてＴ（ｉ）＝０である（ブロック４１０）。ＱｏＳクラス（ｉ）のトラフィック・チャネルは、任意のトラフィック・チャネル上でのパケット伝送のあいだモニタされる（ブロック４１２）。パケット伝送が受信されるときはいつでも、伝送は処理され、そして受信パケットのステータス（例えば、良い又は消去済み）及びパケットの遅延が、決定される（ブロック４１４）。
【００３９】
次に、（１）パケット伝送が不利な条件に置かれた端末からかどうか、そして（２）エラー・イベントがそのパケット伝送のあいだに生じたかどうか、の決定がなされる（ブロック４１６）。答えがブロック４１６に対して‘Ｙｅｓ’である場合、エラー・イベント・カウンタは、Ｅ（ｉ）＝Ｅ（ｉ）＋１のように増加され、そして伝送カウンタも、同様にＴ（ｉ）＝Ｔ（ｉ）＋１のように増加される（ブロック４１８）。そうでなければ、答えがブロック４１６に対して‘Ｎｏ’である場合、伝送カウンタだけが増加される（ブロック４２０）。
【００４０】
ブロック４１８とブロック４２０の後で、ＱｏＳパラメータを更新する時間であるかどうかの決定がなされる（ブロック４２２）。ＱｏＳパラメータは、予め決められた数の伝送を受け取った後で、予め決められた数のエラー・イベントに遭遇した後で、指定された時間インターバルで、及びその他で、更新されることができる。ＱｏＳパラメータを更新する時間がまだ来ていずそして答えがブロック４２２に対して‘Ｎｏ’である場合、その時にはプロセスはブロック４１２に戻り、ＱｏＳクラスｉに対する次のパケット伝送を待つ。
【００４１】
答えがブロック４２２に対して‘Ｙｅｓ’でありそしてＱｏＳパラメータが更新されようとしている場合、エラー・イベント・レートは、ＥＲ（ｉ）＝Ｅ（ｉ）／Ｔ（ｉ）として計算される（ブロック４２２）。ＱｏＳパラメータが予め決められた数の受信パケット伝送の後毎に更新される場合、エラー・イベント・カウンタＥ（ｉ）は、規格化されていないエラー・イベント・レートを表し、そして直接使用されることができる、その結果、ＥＲ（ｉ）は、計算される必要がない。次に、エラー・イベント・レートＥＲ（ｉ）がＱｏＳクラスｉに対するＥＲ＿ｌｉｍｉｔ（ｉ）を超えるかどうかの決定がなされる。答えが‘Ｙｅｓ’である場合、ＱｏＳクラスｉに対するＱｏＳパラメータΔＰｍｉｎ，ｉは、ΔＰｕｐ，ｉだけ増加される、すなわち、ΔＰｍｉｎ，ｉ＝ΔＰｍｉｎ，ｉ＋ΔＰｕｐ，ｉである（ブロック４２８）。より大きなΔＰｍｉｎ，ｉは、より高い伝送出力を使用することを不利な条件に置かれた端末に強要し、その高い伝送出力はＱｏＳクラスｉに対するエラー・イベントを減少させることが可能である。そうでなければ、エラー・イベント・レートＥＲ（ｉ）がＥＲ＿ｌｉｍｉｔ（ｉ）に等しいかそれよりも小さい場合、ＱｏＳクラスｉに対するＱｏＳパラメータΔＰｍｉｎ，ｉは、ΔＰｄｎ，ｉだけ減少される（ブロック４３２）。より低いΔＰｍｉｎ，ｉは、不利な条件に置かれた端末がより低い伝送出力を使用することを可能にし、その低い伝送出力は隣接するセクタへの干渉を低減する。ブロック４２８とブロック４３２は、次式のように表されることができる：
【数１】
2008536353.tif 000003
【００４２】
ΔＰｍｉｎ，ｉに対して許容される値の範囲は、ＱｏＳクラスｉに対して、例えば、コンピュータ・シミュレーション、実験的測定値、及びその他に基づいて、事前に決定されることができる。ΔＰｍｉｎ，ｉは、この範囲内、すなわち、ΔＰｍｉｎ，ｉ∈［ΔＰｍｉｎ，ｍｉｎ，ｉ，ΔＰｍｉｎ，ｍａｘ，ｉ］、になるように制約されることがある、ここで、ΔＰｍｉｎ，ｍｉｎ，ｉは、ΔＰｍｉｎ，ｉに対して許容される最小値であり、そしてΔＰｍｉｎ，ｍａｘ，ｉは、ΔＰｍｉｎ，ｉに対して許容される最大値である。ブロック４２８においてΔＰｍｉｎ，ｉを増加させた後で、更新されるΔＰｍｉｎ，ｉは、ΔＰｍｉｎ，ｍａｘ，ｉよりも小さくなる又はそれに等しくなるように制約される（ブロック４３０）。同様に、ブロック４３２においてΔＰｍｉｎ，ｉを減少させた後で、更新されるΔＰｍｉｎ，ｉは、ΔＰｍｉｎ，ｍｉｎ，ｉに等しくなる又はそれよりも大きくなるように制約される。ブロック４３０とブロック４３４は、次式のように表されることができる：
【数２】
2008536353.tif 000004
【００４３】
ブロック４３０とブロック４３４の後で、プロセスは、ＱｏＳパラメータの次の更新インターバルのためにブロック４１０に戻る。
【００４４】
一般に、ＱｏＳクラスに対する各ＱｏＳ要求は、ＱｏＳパラメータを更新する際に明示的に又は黙示的に制約されることがある。例えば、ＱｏＳクラスに対するＰＥＲ及び最大遅延要求は、エラー・イベント・レートの計算において明示的に考慮されることができる。最小データ・レート要求は、受信データ伝送を適切なＱｏＳクラスへと分類する際に黙示的に考慮されることができる。
【００４５】
図３と図４は、１つのＱｏＳクラスに対するＱｏＳパラメータを更新することを示す。同じプロセスが、そのシステムによりサポートされるＬ個のＱｏＳクラスの各々に対して独立に実行されることができる。同じＱｏＳ測定基準又は異なるＱｏＳ測定基準が、Ｌ個のＱｏＳクラスに対して使用されることができる。Ｌ個のＱｏＳクラスに対するＱｏＳパラメータは、同じ更新インターバル又は異なる更新インターバルで更新されることができる。各ＱｏＳクラスに対する更新インターバルは、例えば、そのＱｏＳクラスに対するＥＲ＿ｌｉｍｉｔ（ｉ）及びデータ・レートのような、様々な要因に基づいて決定されることができる。
【００４６】
図３と図４は、しかもＱｏＳパラメータを更新するための具体的な実施形態を示す。一般に、ＱｏＳパラメータは、様々な方法でそして様々な測定基準を使用して更新されることができる。ＱｏＳパラメータは、各ＱｏＳクラスに対して維持されることができ、そして図４に対して上に説明されたように、そのＱｏＳクラス内の不利な条件に置かれた端末からのデータ伝送に対するエラー・イベント・レートに基づいて更新されることができる。ＱｏＳパラメータは、同様に、各ＱｏＳクラス内の全ての端末に対して維持されることができる。ＱｏＳパラメータは、同様に、それぞれ個々の端末に対して維持されることができ、そしてその端末からのデータ伝送に対して導かれた１又はそれより多くのＱｏＳ測定基準に基づいて更新されることができる。
【００４７】
具体例の擬似直交多元接続システムに対する複数のＱｏＳクラスをサポートする出力制御手段、それはしかも擬似直交分割接続（ＱＯＤＡ：quasi-orthogonal multiple-access system）とも呼ばれる、が以下に説明される。ＱＯＤＡシステムは、直交周波数分割多重化（ＯＦＤＭ：orthogonal frequency division multiplexing）を利用し、それは全システム帯域幅を複数の（Ｋ個の）直交周波数副帯域へと区分する多重キャリア変調技術である。これらの副帯域は、しかも、トーン、サブキャリア、ビン、周波数チャネル、及びその他とも呼ばれる。各副帯域は、データとともに変調されることができるそれぞれのサブキャリアと関係付けられる。
【００４８】
ＱＯＤＡシステムは、複数の（Ｍ個の）トラフィック・チャネルのセットを有し、各セットが複数の（Ｎ個の）トラフィック・チャネルを含む。各トラフィック・チャネルは、時間−周波数ブロックの特定の系列にマッピングされる。各時間−周波数ブロックは、特定のタイム・スロット中の特定の副帯域セットに対応する。副帯域セットは、１又は複数の副帯域を含むことができ、そして１つのタイム・スロットは、１又は複数のシンボル期間に広がることができる。各トラフィック・チャネルは、周波数ホッピング（ＦＨ：frequency hopping）パターンに関係付けられることができ、それはデータ伝送のために使用可能な各タイム・スロットにおいてトラフィック・チャネルに対して使用する特定の時間−周波数ブロックを指示する。
【００４９】
各セット内のＮ個のトラフィック・チャネルは、互いに直交し、そしてセット内のどの２つのチャネルも同じ時間−周波数ブロックを使用しない。Ｍ個のチャネル・セットは、互いにオーバーラップし、そしてＭ個のセット内のＭ個のトラフィック・チャネルは、各時間−周波数ブロックにマッピングされる。ランダム・オーバーラッピングに対して、チャネル・セット内のトラフィック・チャネルに対するマッピングは、他のＭ−１個のチャネル・セットの各々の中のトラフィック・チャネルに対するマッピングに対して擬似ランダムである。ランダム・オーバーラッピングは、セクタ内干渉ダイバーシティを提供することができる。普通のオーバーラッピングに関して、チャネル・セット内のトラフィック・チャネルに対するマッピングは、他のＭ−１個のチャネル・セットの各々のうちの１つのトラフィック・チャネルに対するマッピングと同じである。普通のオーバーラッピングに対して、Ｍ個のトラフィック・チャネルは、時間−周波数ブロックの同じ系列にマッピングされ、そしてそれを限定的に再使用する。いずれにせよ、合計Ｍ・Ｎ個のトラフィック・チャネルが、ＱＯＤＡシステムにおける使用のために利用可能である。これらのトラフィック・チャネルは、Ｌ個のサポートされるＱｏＳクラスに対するデータ伝送のために割り当てられることができる。
【００５０】
擬似直交多重化を用いて、複数の端末は、同じ時間−周波数ブロックを使用することが可能である。それぞれのセクタにおいて観測される全干渉は、（１）同じセクタ内部の複数の端末からのセクタ内干渉、そして（２）他のセクタの端末からのセクタ間干渉、からなる。セクタ内干渉は、（１）同じ時間−周波数ブロックで送られるオーバーラップする伝送、そして（２）直交トラフィック・チャネル上で送られる複数の伝送のあいだの直交性の喪失、から来ることがある。直交性の喪失は、結果としてキャリア間干渉（ＩＣＩ：inter-carrier interference）及びシンボル間干渉（ＩＳＩ：inter-symbol interference）になることがある。セクタ内干渉とセクタ間干渉は、目標達成度への大きな影響を有し、そして以下に説明されるように緩和されることができる。
【００５１】
図５は、出力制御手段５００を示し、それはＱＯＤＡシステムにおいて端末１２０ｘの伝送出力を調節するために使用されることができる。端末１２０ｘは、取り扱いセクタ１１０ｘと通信し、そして隣接セクタに干渉を引き起こすことがある。図５は、単純化のために１つだけの隣接セクタ１１０ｙを示す。
【００５２】
出力制御手段５００は、４つのループ−基準ループ５０２、Ｑループ５０４、ＱｏＳループ５０６、及びΔＰループ５０８−を含む。基準ループ５０２は、取り扱いセクタ１１０ｘにある端末１２０ｘの受信ＳＮＲを推定し、そして受信ＳＮＲが目標ＳＮＲで又はその近くで維持されるように基準出力レベルＰｒｅｆ（ｎ）を調節する。ΔＰループ５０８は、セクタ間干渉の考慮に基づいて端末１２０ｘに対する伝送出力を調節する。ＱｏＳループ５０６は、ΔＰｍｉｎを調節し、そして端末１２０ｘが適用可能であるＱｏＳクラスに対するＱｏＳ要求を達成することが可能であることを確実にする。Ｑループ５０４は、セクタ１１０ｘに対して良い目標達成度を実現するためにオーバーラッピング係数を調節する。
【００５３】
基準ループ５０２、Ｑループ５０４、及びＱｏＳループ５０６は、端末１２０ｘと取り扱いセクタ１１０ｘとの間で動作する。ΔＰループ５０８は、端末１２０ｘと隣接セクタ１１０ｙとの間で動作する。基準ループ５０２、Ｑループ５０４、ＱｏＳループ５０６、及びΔＰループ５０８は、安定性を確保するために異なるレートで更新されることができる。例えば、Ｑループ５０４は、ＱｏＳループ５０６よりも遅いレートで更新されることができ、ＱｏＳループ５０６は、ΔＰループ５０８よりも遅いレートで更新されることができ、ΔＰループ５０８は、基準ループ５０２よりも遅いレートで更新されることができる。
【００５４】
基準ループ５０２は、図２の基準ループ２０２に関して上に説明された方法で動作することができる。基地局１１０ｘは、端末１１０ｘからの指定された伝送の受信ＳＮＲ及び目標ＳＮＲに基づいて端末１２０ｘに対するＴＰＣコマンドを発生する。端末１２０ｘは、ＴＰＣコマンドを受け取り、そしてそれぞれの受信ＴＰＣコマンドに基づいて基準出力レベルを調節することができ、次式のようである：
【数３】
2008536353.tif 000005
【００５５】
ここで、Ｐｕｐは、基準出力レベルの増加ステップ・サイズであり、そしてＰｄｎは、基準出力レベルの減少ステップ・サイズである。
【００５６】
セクタ間干渉を許容可能なレベルの範囲内に維持しつつ、できるだけ高い出力レベルがトラフィック・チャネルに対して使用されるように、ΔＰループ５０８は、トラフィック・チャネルに対する伝送出力を調節する。ΔＰループ５０８に関して、隣接セクタ１１０ｙ内部のセクタ間干渉推定器５４０は、逆方向リンク上の伝送を受信し、そして他のセクタ中の端末からセクタ１１０ｙにより観測されるセクタ間干渉を推定する。他のセクタ干渉（ＯＳＩ：other-sector interference）ビット発生器５４２は、セクタ間干渉推定値を受け取り、そして次のように隣接セクタ１１０ｙに対するＯＳＩビットを設定する：
【数４】
2008536353.tif 000006
【００５７】
ここで、Ｉｉｎｔｅｒ（ｍ）は、時間インターバルｍにおけるセクタ１１０ｙに対するセクタ間干渉推定値であり；
Ｉｔａｒｇｅｔは、標準セクタ間干渉しきい値であり；そして
ＯＳＩＢ（ｍ）は、時間インターバルｍにおけるセクタ１１０ｙに対するＯＳＩビットである。
【００５８】
隣接セクタ１１０ｙは、同様に、セクタ１１０ｙによって観測されるセクタ間干渉のある別の指標も発生することができる。隣接セクタ１１０ｙは、システム内の端末に順方向リンク上でＯＳＩビットを同報通信する。
【００５９】
端末１２０ｘにおいて、ＯＳＩビット検出器５６２は、隣接セクタによって同報通信されたＯＳＩビットを受信し、そして検出されたＯＳＩビットを与える。チャネル推定器５６４は、取り扱いセクタ及び隣接セクタからパイロットを受信し、そして各セクタに対するチャネル利得を推定する。伝送出力デルタ調節ユニット５６６は、検出されたＯＳＩビット、チャネル利得、及びΔＰｍｉｎに基づいて伝送出力デルタΔＰ（ｎ）を調節する。例えば、端末１２０ｘは、次式のように、最も強い隣接セクタからのＯＳＩビットに基づいて決定論的な方法でΔＰ（ｎ）を調節することができる：
【数５】
2008536353.tif 000007
【００６０】
ここで、ΔＰｕｐ（ｎ）とΔＰｄｎ（ｎ）は、一定値又は可変値であり得る。例えば、ΔＰｕｐ（ｎ）とΔＰｄｎ（ｎ）は、最も強い隣接セクタのチャネル利得比ｒｓｎｓ（ｎ）及び前の更新インターバルｎ−１の伝送出力デルタΔＰ（ｎ−１）の関数であり得る。ｒｓｎｓ（ｎ）は、取り扱いセクタのチャネル利得に対する最も強い隣接セクタのチャネル利得の比である。最も強い隣接セクタが高いセクタ間干渉を観測し、そしてそのＯＳＩビットを‘１’に設定する場合、ΔＰｄｎ（ｎ）は、ｒｓｎｓ（ｎ）とΔＰ（ｎ−１）の両方に関係することがあり、その結果、（１）最も強い隣接セクタのより大きなチャネル利得がより大きなΔＰｄｎ（ｎ）に結果としてなり、そして（２）ΔＰ（ｎ−１）のより大きな値がより大きなΔＰｄｎ（ｎ）に結果としてなる。逆に、最も強い隣接セクタが低いセクタ間干渉を観測し、そしてそのＯＳＩビットを‘０’に設定する場合、ΔＰｕｐ（ｎ）は、ｒｓｎｓ（ｎ）とΔＰ（ｎ−１）の両方に逆に関係することがあり、その結果、（１）最も強い隣接セクタのより大きなチャネル利得がより小さなΔＰｕｐ（ｎ）に結果としてなり、そして（２）ΔＰ（ｎ−１）のより大きな値がより小さなΔＰｕｐ（ｎ）に結果としてなる。
【００６１】
ΔＰ（ｎ）は、同様に確率論的な方法で調節されることもできる。例えば、ＯＳＩビットが‘０’に設定される場合、ΔＰ（ｎ）を増加させるための確率Ｐｒｕｐ（ｎ）が決定され、そしてΔＰ（ｎ）は、この確率に基づいてΔＰｕｐだけ増加される。逆に、ＯＳＩビットが‘１’に設定される場合、ΔＰ（ｎ）を減少させるための確率Ｐｒｄｎ（ｎ）が決定され、そしてΔＰ（ｎ）は、この確率に基づいてΔＰｄｎだけ減少される。Ｐｒｕｐ（ｎ）とＰｒｄｎ（ｎ）は、ΔＰ（ｎ）とｒｓｎｓ（ｎ）に基づいて決定されることができ、そしてΔＰｕｐとΔＰｄｎは、一定値であり得る。
【００６２】
ＱｏＳループ５０６は、各ＱｏＳクラスに対するΔＰｍｉｎ，ｉをそのＱｏＳクラスに対して取り扱いセクタ１１０ｘにおいて受信したデータ伝送に基づいて調節する。ＲＸデータ・プロセッサ５２２は、各ＱｏＳクラスに対する受信データ伝送を処理し、そしてステータス情報を提供する。チャネル推定器５２４は、基地局１１０ｘに伝送している各端末に対するチャネル利得を推定する。ΔＰｍｉｎ調節ユニット５２８は、データ伝送に関するステータス情報及び全ての端末に対するチャネル利得を受け取り、各ＱｏＳクラス内の不利な条件に置かれた端末を識別し、その不利な条件に置かれた端末からのデータ伝送に関するステータス情報に基づいて各ＱｏＳクラスに対するＱｏＳ測定基準を決定し、そしてそのＱｏＳ測定基準及びそのＱｏＳクラスに対するＱｏＳ要求に基づいて各ＱｏＳクラスに対するΔＰｍｉｎ，ｉを更新する。プロセッサ５２２とユニット５２８は、各ＱｏＳクラスに対して図４に示されたプロセス４００を実行することができる。取り扱いセクタ１１０ｘは、そのセクタ内部の端末に順方向リンク上で全てのＱｏＳクラスに対するΔＰｍｉｎ，ｉを同報通信する。
【００６３】
端末１２０ｘにおいて、信号通信プロセッサ５６０は、その端末に適用できるＱｏＳクラスに対するΔＰｍｉｎ，ｉを受信する。伝送出力デルタ計算ユニット５６６は、例えば、式（２）に示されたように、出力制御のためにΔＰｍｉｎ，ｉを使用する。式（２）における制約は、各ＱｏＳクラスｉに対するデータ伝送の受信ＳＮＲが［ＳＮＲｍｉｎ，ｉ，ＳＮＲｍａｘ，ｉ］の範囲内になるように効果的に制限する。この制約は、これらのデータ伝送に対する受信ＳＮＲの変動の大きさを制限し、そして各端末によって引き起こされるセクタ内干渉の大きさが許容可能なレベルの範囲内であることを確実にする。高い干渉を報告する隣接セクタの近くに位置する不利な条件に置かれた端末は、自分自身の受信ＳＮＲがＳＮＲｍｉｎ，ｉにより近くなるようにより低い伝送出力デルタで伝送することができる。逆に、取り扱いセクタの近くに位置する強い端末は、自分自身の受信ＳＮＲがＳＮＲｍａｘ，ｉにより近くなるようにより高い伝送出力デルタで伝送することができる。
【００６４】
Ｑループ５０４は、オーバーラッピングの量を調節して、取り扱いセクタ１１０ｘに対する良い目標達成度を実現する。各時間−周波数ブロックについてのオーバーラッピング端末の平均数（Ｑ）は、オーバーラッピング係数と呼ばれる。より高いオーバーラッピング係数は、取り扱いセクタに対する総合スループットを向上できるが、隣接するセクタに対するセクタ内干渉も同様に増加させる。オーバーラッピング係数は、目標達成度測定基準、ＱｏＳ測定基準、及びその他に基づいて調節されることができる。１つの実施形態では、オーバーラッピング係数は、取り扱いセクタ１１０ｘについての総合スループットに基づいて調節される。ＲＸデータ・プロセッサ５２２は、全てのＱｏＳクラスに対するデータ伝送を処理し、そしてパケット・ステータスを提供する。オーバーラッピング係数調節ユニット５２６は、受信したパケットと復号したパケットに基づいてセクタについての平均総合スループットを計算する。ユニット５２６は、それから次式のように平均総合スループットに基づいてオーバーラッピング係数を更新する：
【数６】
2008536353.tif 000008
【００６５】
ここで、ＯＴＰ（ｌ）は、時間インターバルｌにおける取り扱いセクタ１１０ｘの平均総合スループットであり；
Ｑ（ｌ）は、時間インターバルｌにおける取り扱いセクタ１１０ｘのオーバーラッピング係数であり；
Ｑｕｐは、オーバーラッピング係数のアップ・ステップ・サイズであり、ここでＱｕｐ＞１であり；そして
Ｑｄｎは、オーバーラッピング係数のダウン・ステップ・サイズであり、ここでＱｄｎ＜１である。
【００６６】
ＱｕｐとＱｄｎのステップ・サイズは、オーバーラッピング係数に対して所望の応答を達成するように選択される。取り扱いセクタ１１０ｘは、セクタ内の端末へオーバーラッピング係数を同報通信することができる。
【００６７】
端末１２０ｘにおいて、信号通信プロセッサ５６０は、取り扱いセクタ１１０ｘからの順方向リンク伝送を処理し、そしてオーバーラッピング係数を取得する。伝送出力計算ユニット５７０は、ユニット５５２から基準出力レベルＰｒｅｆ（ｎ）を、ユニット５６６から伝送出力デルタΔＰ（ｎ）を、そしてプロセッサ５６０からオーバーラッピング係数を受け取る。ユニット５７０は、例えば、次のように、入力の全てに基づいてトラフィック・チャネルに対する伝送出力Ｐｄｃｈ（ｎ）を計算する：
Ｐｄｃｈ（ｎ）＝Ｐｒｅｆ（ｎ）＋ΔＰ（ｎ）−ＱｄＢ（ｎ）      式（１０）
ここで、ＱｄＢ（ｎ）は、更新インターバルｎにおいて適用できるオーバーラッピング係数であり、そしてｄＢの単位で与えられる。Ｐｄｃｈ（ｎ）は、予め決められた最大出力レベルに等しくなるように又はそれよりも小さくなるようにさらに制約されることがある、すなわちＰｄｃｈ（ｎ）≦Ｐｍａｘである。ＴＸデータ・プロセッサ５８０は、取り扱いセクタ１１０ｘへのデータ伝送のためにその伝送出力Ｐｄｃｈ（ｎ）を使用する。
【００６８】
出力制御手段５００は、セクタ間干渉とセクタ内干渉とを別々に制御するために別の手段を効果的に使用する。不利な条件に置かれた端末は、セクタ間干渉の支配的なソースである。ＱｏＳループ５０６は、各ＱｏＳクラスに対するΔＰｍｉｎ，ｉを調節する、それは主に不利な条件に置かれた端末に影響を及ぼし、そしてそれゆえ、これらの不利な条件に置かれた端末によって引き起こされるセクタ間干渉の大きさを制御する。オーバーラッピング端末は、セクタ内干渉の主なソースである。Ｑループ５０４は、オーバーラッピング係数を調整し、そしてそれゆえ、オーバーラッピング端末によって観測されるセクタ内干渉の大きさを制御する。
【００６９】
図２と図５は、ＱｏＳの導入をサポートする２つの具体的な出力制御手段を示す。出力制御は、同様に、別の方式で及び／又は上に記述されたものとは異なるパラメータを用いて実行されることができる。例えば、ＱｏＳパラメータは、（上に記述されたように）同報通信されそして端末において適用される出力制御パラメータであり得る、又は取り扱いセクタにおいて適用される出力制御パラメータであり得る。ＱｏＳパラメータは、（上に記述されたように）専用ループを用いて明示的に調節されることができる、又は別のループ内部で黙示的に調節されることができる。一般に、ＱｏＳの導入をサポートする出力制御手段は、任意の数のループを含むことができ、そして各ループは、任意の出力制御パラメータで動作することができる。ＱｏＳパラメータは、図４及び図５で上に説明されたようなΔＰｍｉｎ，ｉ、式（３）に示されたようなＰｏｓ、又はある別の出力制御パラメータであり得る。
【００７０】
図６は、端末１２０ｘ、取り扱い基地局１１０ｘ、及び隣接基地局１１０ｙの１実施形態のブロック図を示す。明確にするために、以下の説明は、図５の出力制御手段５００の使用を仮定する。
【００７１】
逆方向リンク上で、端末１２０ｘにおいて、ＴＸデータ・プロセッサ６１０は、逆方向リンク（ＲＬ）トラフィック・データ及び制御データを符号化し、インターリーブし、そしてシンボル・マッピングし、そしてそのトラフィック・データ及び制御データに対するデータ・シンボルを与える。変調器（Ｍｏｄ）６１２は、データ・シンボル及びパイロット・シンボルを受け取り、そしてそれらを適切な副帯域及びシンボル期間上へとマッピングし、ＯＦＤＭ変調を実行し、そして複素値にされたチップの系列を与える。送信機ユニット（ＴＭＴＲ）６１４は、チップの系列を調整し（例えば、アナログに変換し、増幅し、フィルタし、そして周波数アップコンバートし）、そして逆方向リンク信号を発生する、それはアンテナ６１６を介して伝送される。
【００７２】
取り扱い基地局１１０ｘにおいて、複数のアンテナ６５２ｘａから６５２ｘｔは、端末１２０ｘと他の端末からの逆方向リンク信号を受信し、そしてそれぞれのアンテナ６５２ｘは、それぞれの受信機ユニット（ＲＣＶＲ）６５４ｘに受信信号を与える。各受信機ユニット６５４ｘは、自分自身の受信信号を調整し（例えば、フィルタし、増幅し、そして周波数ダウンコンバートし）、ＯＦＤＭ復調を実行し、そして受信シンボルを与える。ＲＸ空間プロセッサ６５８は、全ての受信機ユニット６５４ｘａから６５４ｘｔから受信シンボルを取得し、オーバーラップしている伝送を分離するために受信機空間処理を実行し、そして伝送されたデータ・シンボルの推定値である検出されたシンボルを与える。ＲＸデータ・プロセッサ６６０ｘは、検出したシンボルを逆インターリーブしそして復号し、端末１２０ｘに対して同様に基地局１１０ｘによって取り扱われている別の端末に対して復号されたデータを与え、そしてオーバーラッピング係数及びＱｏＳパラメータを調節するためのＱｏＳ測定基準及び目標達成度を導出するために使用するステータス情報（例えば、パケット・ステータス及び遅延）も同様に提供する。
【００７３】
順方向リンク伝送に対する処理は、逆方向リンクに対して上に説明されたものと同様に実行されることができる。順方向リンクと逆方向リンク上の伝送のための処理は、一般的にシステムによって指定される。
【００７４】
ＱｏＳ制御及び出力制御に関して、取り扱い基地局１１０ｘにおいて、ＲＸ空間プロセッサ６５８ｘは、端末１２０ｘに対する受信ＳＮＲを推定し、そしてコントローラ６７０ｘにＳＮＲ推定値を与える。コントローラ６７０ｘは、その端末に対するＳＮＲ推定値及び目標ＳＮＲに基づいて端末１２０ｘに対するＴＰＣコマンドを発生する。コントローラ６７０ｘは、しかもＲＸデータ・プロセッサ６６０ｘからパケット・ステータスも受け取り、ＱｏＳ測定基準及び／又は目標達成度測定基準を導出し、そのＱｏＳクラスに対するＱｏＳ測定基準に基づいて各ＱｏＳクラスに対するＱｏＳパラメータ（例えば、ΔＰｍｉｎ，ｉ）を更新し、そしてオーバーラッピング係数を（例えば、総合スループットのような目標達成度測定基準に基づいて）更新する。ＴＰＣコマンド、オーバーラッピング係数（Ｑ）、及びＱｏＳパラメータは、ＴＸデータ・プロセッサ６８２ｘとＴＸ空間プロセッサ６８４ｘによって処理され、送信機ユニット６５４ｘａから６５４ｘｔによって調整され、そして端末１２０ｘへアンテナ６５２ｘａから６５２ｘｔを介して伝送される。隣接基地局１１０ｙにおいて、ＲＸ空間プロセッサ６５８ｙは、基地局１１０ｙによって観測されるセクタ間干渉を推定し、そしてコントローラ６７０ｙに干渉推定値を与える。コントローラ６７０ｙは、干渉推定値及び名目上の干渉しきい値に基づいて基地局１１０ｙに対するＯＳＩビットを発生する。ＯＳＩビットは、処理され、そしてシステム内の端末へ同報通信される。
【００７５】
端末１２０ｘにおいて、アンテナ６１６は、取り扱い基地局及び隣接基地局から順方向リンク信号を受信し、受信機ユニット６１４に受信した信号を与える。受信信号は、受信機ユニット６１４によって調整されそしてディジタル化され、そして復調器（Ｄｅｍｏｄ）６４２及びＲＸデータ・プロセッサ６４４によってさらに処理されて、端末１２０ｘに対して取り扱い基地局１１０ｘによって送られるＴＰＣコマンド、隣接基地局によって送られるＯＳＩビット、端末１２０ｘに適用可能なＱｏＳクラスに対するＱｏＳパラメータ、及び基地局１１０ｘに対するオーバーラッピング係数を取得する。復調器６４２内部のチャネル推定器は、各基地局に対するチャネル利得を推定する。コントローラ６２０は、例えば、上に説明されたように、受け取ったＴＰＣコマンドを検出し、そしてＴＰＣ判断に基づいて基準出力レベルを更新する。コントローラ６２０は、隣接基地局からの受信ＯＳＩビットに基づいてトラフィック・チャネルの伝送出力を、取り扱い基地局及び隣接基地局に対するチャネル利得を、適用できるＱｏＳクラスに対するＱｏＳパラメータを、そしてオーバーラッピング係数を同様に調節する。コントローラ６２０は、その端末１２０ｘに割り当てられたトラフィック・チャネルに対する伝送出力を与える。プロセッサ６１０及び／又は変調器６１２は、コントローラ６２０によって与えられる伝送出力に基づいてデータ・シンボルをスケーリングする。
【００７６】
コントローラ６２０，６７０ｘ、と６７０ｙは、それぞれ端末１２０ｘ及び基地局１１０ｘと１１０ｙにおける様々な処理ユニットの動作を管理する。これらのコントローラは、しかもＱｏＳ制御及び出力制御のための様々な機能も実行できる。例えば、コントローラ６２０は、（１）図２に示されたユニット２５０から２６０のうちのいずれか又は全て、又は（２）図５に示されたユニット５５０から５７０ののうちのいずれか又は全てを搭載することができる。各基地局１１０のコントローラ６７０は、（１）図２に示されたユニット２１０から２２４のうちのいずれか又は全て、又は（２）図５に示されたユニット５１０から５４２のうちのいずれか又は全てを搭載することができる。コントローラ６７０は、しかも図３の処理３００又は図４の処理４００の複数の部分も実行することができる。メモリ・ユニット６２２，６７２ｘと６７２ｙは、それぞれコントローラ６２０，６７０ｘと６７０ｙのためのデータ及びプログラム・コードを記憶する。スケジューラ６８０ｘは、端末が基地局１１０ｘと通信するためのスケジュールを立て、そして同様にスケジュールされた端末にトラフィック・チャネルを指定する。
【００７７】
本明細書中に説明されたＱｏＳ制御及び出力制御技術は、様々な手段によって導入されることができる。例えば、これらの技術は、ハードウェア、ソフトウェア、又はこれらの組み合わせで導入されることができる。ハードウェア導入に関して、ＱｏＳ測定基準を計算するため、ＱｏＳパラメータを更新するため、基地局における出力制御をサポートするために使用される処理ユニットは、１又はそれより多くの用途特定集積回路（ＡＳＩＣｓ：application specific integrated circuits）、ディジタル信号プロセッサ（ＤＳＰｓ：digital signal processors）、ディジタル信号処理デバイス（ＤＳＰＤｓ：digital signal processing devices）、プログラマブル論理デバイス（ＰＬＤｓ：programmable logic devices）、フィールド・プログラマブル・ゲートアレイ（ＦＰＧＡｓ：field programmable gate arrays）、プロセッサ、コントローラ、マイクロ−コントローラ、マイクロプロセッサ、本明細書中に説明した機能を実行するために設計された他の電子ユニット、又はこれらの組み合わせの内部に搭載されることができる。端末における処理ユニットは、１又はそれより多くのＡＳＩＣｓ、ＤＳＰｓ、プロセッサ、コントローラ、及びその他の内部に搭載されることができる。
【００７８】
ソフトウェア導入に関して、本技術は、本明細書中に説明された機能を実行するモジュール（例えば、手順、機能、及びその他）を用いて導入されることができる。ソフトウェア・コードは、メモリ・ユニット（例えば、図６のメモリ・ユニット６２２、６７２ｘ又は６７２ｙ）中に記憶されることができ、そしてプロセッサ（例えば、コントローラ６２０，６７０ｘ又は６７０ｙ）によって実行されることができる。メモリ・ユニットは、プロセッサの内部に、又はプロセッサの外部に搭載されることができる。
【００７９】
開示された複数の実施形態のこれまでの説明は、本技術分野に知識のあるいかなる者でも、本発明を作成する又は使用することを可能にするために提供される。これらの実施形態に対する様々な変形は、当業者に容易に明らかになるであろう。そして、本明細書中に規定された一般的な原理は、本発明の精神又は範囲から逸脱することなく、他の実施形態に適用されることができる。それゆえ、本発明は、本明細書中に示された複数の実施形態に限定されるように意図したものではなく、本明細書中に開示された原理及び新奇な機能と整合する最も広い範囲に適用されるべきである。
【図面の簡単な説明】
【００８０】
【図１】図１は、複数の基地局と複数の端末とを有するシステムを示す。
【図２】図２は、複数のＱｏＳクラスをサポートする出力制御手段を示す。
【図３】図３は、ＱｏＳクラスに対するＱｏＳパラメータを更新するためのプロセスを示す。
【図４】図４は、エラー・イベント・レートに基づいてＱｏＳクラスに対するＱｏＳパラメータを更新するためのプロセスを示す。
【図５】図５は、４つのループを有する出力制御手段を示す。
【図６】図６は、１つの端末と２つの基地局のブロック図を示す。
【符号の説明】
【００８１】
１００…多元接続通信システム，１０２…セル，１０４…セクタ，１１０…基地局，１２０…端末，５００…出力制御手段。
【図１】
2008536353.tif 000009
【図２】
2008536353.tif 000010
【図３】
2008536353.tif 000011
【図４】
2008536353.tif 000012
【図５】
2008536353.tif 000013
【図６】
2008536353.tif 000014
【国際調査報告】
2008536353.tif 000015
2008536353.tif 000016